【手続補正書】
【提出日】平成17年10月21日(2005.10.21)
【手続補正１】
【補正対象書類名】明細書
【補正対象項目名】特許請求の範囲
【補正方法】変更
【補正の内容】
【特許請求の範囲】
【請求項１】  コンピュータおよび複数のモバイル・デバイス間における双方向処理方法であって、
第１モバイル・デバイスおよび前記コンピュータ上に第１識別子を格納するステップと、
第２モバイル・デバイスおよび前記コンピュータ上に第２識別子を格納するステップであって、該第２識別子が前記第１識別子とは異なる、ステップと、
各モバイル・デバイスに対して、格納した各識別子を基準として、前記コンピュータに１組の設定値を格納するステップと、
前記モバイル・デバイスの１つを前記コンピュータに接続する際に、前記モバイル・デバイス上に格納した各識別子それぞれを、前記コンピュータ上に格納した各識別子それぞれと比較するステップと、
対応する識別子が発見された場合、前記格納したそれぞれの組の設定値の関数として、前記接続したモバイル・デバイスおよび前記コンピュータ間の双方向処理を制御するステップと、
から成ることを特徴とする方法。
【請求項２】  請求項１記載の方法において、前記第１モバイル・デバイスおよび前記第２モバイル・デバイスは、実質的に同様でないことを特徴とする方法。
【請求項３】  請求項１又は２記載の方法において、１組の設定値を格納する前記ステップが、１組のデフォルト設定値を取得するステップを含むことを特徴とする方法。
【請求項４】  請求項１〜３のいずれか１項に記載の方法であって、更に、前記コンピュータに接続する際に、前記モバイル・デバイスのタイプを検出するステップと、前記検出したデバイスのタイプの関数として、前記デフォルト設定値の少なくとも１つを変更するステップを含むことを特徴とする方法。
【請求項５】  請求項１〜４のいずれか１項に記載の方法であって、更に、各識別子それぞれを基準として、前記コンピュータに前記モバイル・デバイスの各々に対して、一意のデバイス名を格納するステップを含むことを特徴とする方法。
【請求項６】  請求項５記載の方法であって、更に、前記モバイル・デバイスの前記デバイス名の関数として、前記コンピュータ上に格納してある各１組の設定値にアクセスするステップを含むことを特徴とする方法。
【請求項７】  請求項５記載の方法であって、更に、前記コンピュータに接続する際に、前記モバイル・デバイスから前記デバイス名を取得するステップと、前記デバイス名を、前記コンピュータ上に格納してある前記デバイス名とチェックするステップを含むことを特徴とする方法。
【請求項８】  請求項７記載の方法であって、更に、対応する識別子が発見された場合、前記コンピュータ上の前記デバイス名を変更し、前記モバイル・デバイスの前記デバイス名と一致させるステップを含むことを特徴とする方法。
【請求項９】  請求項１〜８のいずれか１項に記載の方法であって、更に１組のゲスト設定値を格納するステップを含み、対応する識別子が発見されない場合、前記接続したモバイル・デバイスおよび前記コンピュータ間の双方向処理を制御する前記ステップは、前記格納した１組のゲスト識別子の関数として制御することを特徴とする方法。
【請求項１０】  請求項９記載の方法において、１組のゲスト設定値を格納する前記ステップが、１組のデフォルト設定値を取得するステップを含むことを特徴とする方法。
【請求項１１】  請求項１０記載の方法であって、更に、前記コンピュータに接続する際に、モバイル・デバイスのタイプを検出するステップと、該検出したデバイスのタイプの関数として、前記デフォルト設定値の少なくとも１つを変更するステップとを含むことを特徴とする方法。
【請求項１２】  双方向コンピュータ・システムであって、
第１識別子を格納してある第１モバイル・デバイスと、
第２識別子を格納してある第２モバイル・デバイスであって、前記第２識別子が前記第１識別子とは異なる、第２モバイル・デバイスと、
前記モバイル・デバイスの各々に選択的に結合可能なコンピュータであって、該コンピュータが、前記第１識別子を基準とする第１組の設定値と、前記第２識別子を基準とする第２組の識別子とを有し、前記モバイル・デバイスの１つを前記コンピュータに接続する際に、前記モバイル・デバイス上に格納した各識別子それぞれを、前記コンピュータ上に格納した各識別子それぞれと比較し、対応する識別子が発見された場合、前記格納したそれぞれの組の設定値の関数として、前記接続したモバイル・デバイスおよび前記コンピュータ間の双方向処理を制御する、コンピュータと、
を備えることを特徴とする双方向コンピュータ・システム。
【請求項１３】  コンピュータおよび複数のモバイル・デバイス間における双方向処理方法であって、
第１タイプのモバイル・デバイスの前記コンピュータとの双方向処理を制御する第１組の設定値を作成するステップと、
第２タイプのモバイル・デバイスの前記コンピュータとの双方向処理を制御する第２組の設定値を作成するステップと、
前記第１および第２組の設定値を前記コンピュータ上に格納するステップと、
前記モバイル・デバイスを前記コンピュータに接続する際、前記モバイル・デバイスのタイプを検出するステップと、
前記第１および第２組の設定値にアクセスし、前記検出したタイプの関数として、前記コンピュータの前記モバイル・デバイスとの双方向処理を制御するステップと、
から成ることを特徴とする方法。
【請求項１４】  請求項１３記載の方法であって、更に、
前記コンピュータに接続する際に、接続するモバイル・デバイスを識別する識別子を割り当てるステップと、
前記接続したモバイル・デバイスおよび前記コンピュータに前記識別子を格納するステップと、
前記接続したモバイル・デバイスのタイプに対応して、前記第１および第２組の設定値の一方に基づき、第３組の設定値を格納するステップであって、前記第３組の設定は前記識別子を基準とする、ステップと、
を含むことを特徴とする方法。
【請求項１５】  請求項１４記載の方法において、前記第３組の設定値を格納する前記ステップが、前記第１および第２組の設定値のコピーを格納するステップを含むことを特徴とする方法。
【請求項１６】  請求項１５記載の方法であって、更に、前記第３組の設定値の内少なくとも１つの設定値を変更するステップを含むことを特徴とする方法。
【請求項１７】  コンピュータおよびモバイル・デバイス間における双方向処理方法であって、前記コンピュータは、第１識別子を基準として、前記モバイル・デバイスにバックアップ・データを格納し、前記方法が、
前記モバイル・デバイスを前記コンピュータに接続するステップと、
前記バックアップ・データを前記コンピュータから前記モバイル・デバイスに復元するステップと、
前記第１識別子とは異なる第２識別子を取得するステップと、
前記第２識別子を前記モバイル・デバイス上に格納するステップと、
前記コンピュータ上の前記第１識別子を前記第２識別子に変更するステップと、
から成ることを特徴とする方法。
【請求項１８】  請求項１７記載の方法において、前記モバイル・デバイスが、第２コンピュータとの双方向処理のために第３識別子を含み、前記方法が、前記第３識別子を無効化するステップを含むことを特徴とする方法。
【請求項１９】  モバイル・デバイスおよび複数のコンピュータ間における双方向処理方法であって、
前記モバイル・デバイスおよび第１コンピュータ上に第１識別子を格納するステップと、
前記モバイル・デバイスおよび第２コンピュータ上に第２識別子を格納するステップであって、該第２識別子が前記第２識別子とは異なる、ステップと、
前記第１識別子を基準として前記第１コンピュータ内に第１組の設定値を格納するステップと、
前記第２識別子を基準として、前記第２コンピュータ内に第２組の設定値を格納するステップと、
前記１つのコンピュータを前記モバイル・デバイスに接続する際に、前記コンピュータの１つに格納した各識別子を前記モバイル・デバイス上に格納いた各識別子と比較するステップと、
対応する識別子が発見された場合、前記格納したそれぞれの組の設定値の関数として、前記接続したコンピュータおよび前記モバイル・デバイス間における双方向処理を制御するステップと、
から成ることを特徴とする方法。
【請求項２０】  請求項１９記載の方法において、第１組の設定値を格納する前記ステップおよび第２組の設定値を格納する前記ステップが、各々、１組のデフォルト設定値を取得するステップを含むことを特徴とする方法。
【請求項２１】  請求項１９又は２０記載の方法であって、更に、前記１つのコンピュータに接続する際に、モバイル・デバイスのタイプを検出するステップと、
当該検出したデバイスのタイプの関数として、前記デフォルト設定値の少なくとも１つを変更するステップと、
を含むことを特徴とする方法。
【請求項２２】  双方向コンピュータ・システムであって、
第１識別子を基準とする第１組の設定値を有する第１コンピュータと、
第２識別子を基準とする第２組の設定値を有する第２コンピュータであって、前記第２識別子が前記第１識別子とは異なる、第２コンピュータと、
前記コンピュータの各々に結合可能なモバイル・デバイスであって、前記第１識別子および前記第２識別子を格納してある、モバイル・デバイスと、
を備え、
前記モバイル・デバイスを前記コンピュータの１つと接続する際、当該１つのコンピュータが、各識別子をそれに格納してある識別子と比較し、対応する識別子が発見された場合、前記格納したそれぞれの組の設定値の関数として、前記モバイル・デバイスおよび前記１つのコンピュータ間の双方向処理を制御する、
ことを特徴とする双方向コンピュータ・システム。